(57)【要約】【課題】器具先端に設けられた機能部を着脱自在にして使い捨て可能にすると共に、その角度を自由に調節して良好な視野性を確保することができる医療用器具を提供する。【解決手段】基端に棒状の把持部２０、先端に医療行為に用いられる機能部４０Ａを備える医療用器具１０Ａにおいて、前記把持部２０と前記機能部４０Ａの間に、棒状の形状記憶合金からなる形状記憶部３０を設け、前記把持部２０、機能部４０Ａ、及び形状記憶部３０を互いに着脱可能にすると共に、前記形状記憶部３０を直線状態で記憶処理し、必要に応じて前記形状記憶部３０を折曲させて使用し、使用後には前記形状記憶部３０を記憶回復温度まで加熱することで、前記形状記憶部３０を元の記憶処理した形状に戻す。【選択図】図１
2012115605.tif 000002
【特許請求の範囲】
【請求項１】
基端に棒状の把持部、先端に医療行為に用いられる機能部を備える医療用器具において、
前記把持部と前記機能部の間に、棒状の形状記憶合金からなる形状記憶部を設け、
前記把持部、機能部、及び形状記憶部を互いに着脱可能にすると共に、
前記形状記憶部を直線状態で記憶処理し、必要に応じて前記形状記憶部を折曲させて使用し、使用後には前記形状記憶部を記憶回復温度まで加熱することで、前記形状記憶部を元の記憶処理した形状に戻すことを特徴とする医療用器具。
【請求項２】
前記把持部と前記形状記憶部の間、又は前記形状記憶部と前記機能部との間に、所定角度に折曲した接続部をさらに備えることを特徴とする請求項１に記載の医療用器具。
【請求項３】
前記形状記憶部が、ニッケル−チタン合金からなることを特徴とする請求項１に記載の医療用器具。
【請求項４】
前記医療用器具が、医療用ナイフ、医療用ミラー、医療用フックの何れかであることを特徴とする請求項１又は２に記載の医療用器具。
【請求項５】
前記機能部は、複数の形状タイプのものが個別の収納手段に封止されており、当該複数の形状タイプの任意の一つが選択されて前記記憶部の装着部に装着されて使用される、ことを特徴とする請求項４に記載の医療用器具。
【請求項６】
前記機能部は滅菌処理されて前記収納手段に収納されていることを特徴とする請求項５に記載の医療用器具。
【発明の詳細な説明】
【技術分野】
【０００１】
本発明は、ナイフ、ミラー、フック等、医療現場で用いられる医療用器具に関するものであり、特に、器具先端に設けられた機能部を入れ替え可能に着脱できる医療用器具に関する。
【背景技術】
【０００２】
基端に棒状の把持部、先端にナイフ、ミラー、フック等の医療行為に用いられる機能部を備える医療用器具は、従来、把持部と機能部が略直線状に配置されるのが一般的である。
【０００３】
このような従来の医療用器具の一例を図７及び図８に示す。図７は従来の医療用ナイフ、図８は従来の医療用ミラーの一例を示す模式図である。
【０００４】
図７に示す医療用ナイフ１０１は、基端に棒状の把持部１０２を有すると共に、その先端には機能部としてナイフ本体１０４を備えている。また、図８に示す医療用ミラー２０１は、基端に棒状の把持部２０２を有すると共に、その先端には機能部としてミラー本体２０４を備えている。これらの図に示すように、把持部１０２、２０２と機能部１０４、２０４は、ほぼ一直線上に固定的に配置されている。
【０００５】
しかしながら、例えば、心臓の冠動脈バイパス手術等においては、切開する血管の位置と医療用ナイフの刺入角度の関係から、図７のような従来の医療用ナイフでは術者自身の手にナイフ先端が隠れることがあるため、上記のような把持部１０２とナイフ本体１０４とが一直線上に配置された医療用ナイフ１０１では、切開時に見にくく使い辛いという問題があった。
【０００６】
そこで、取り外し可能なナイフ本体を把持部に対して任意の角度に配置できる医療用ナイフがこれまでに市販されている（例えば、特許文献１）。図９に、従来の医療用ナイフを示す。この医療用ナイフ３０１は、把持部３０２と、「く」の字形のナイフ本体（機能部）３０４とからなる。ナイフ本体３０４が「く」の字形に折曲していると共に、把持部３０２とナイフ本体３０４の接続部が折曲しているため、刃体を把持部３０２に対して一定の角度を持って取り付けることができる。このナイフ本体３０４は、折曲角度が異なるものが数種類用意されており、必要に応じて任意の角度のナイフ本体３０４を付け替えて使用する。
【０００７】
一方、医療用ミラー２０１は、奥深く狭い手術野や口腔内など、通常では見辛い部位の視認に用いられるが、従来は図８に示すようにミラー本体２０４を把持部２０２に対して角度を付けて取り付けることで観察対象を見やすくしている。
【先行技術文献】
【特許文献】
【０００８】
【特許文献１】特許第３９８０９８９号公報
【発明の概要】
【発明が解決しようとする課題】
【０００９】
上記従来の図９に示す医療用ナイフ３０１の場合、ナイフ本体３０４の折曲角度が予め設定されているため、段階的にしかナイフ本体３０４の角度を変更することができないという問題があった。即ち、ナイフ本体３０４の変更角度に自由度が低く、その場に応じて微妙な角度を設定することは不可能だった。また、処置の最中に異なる角度に変更したい場合、また新たな医療用ナイフ３０１を用意するか、把持部３０２からナイフ本体３０４を取り外して、異なる折曲角度のナイフ本体３０４に付け替えなければならないという問題があった。
【００１０】
一方、上記従来の図８に示す医療用ミラー２０１の場合、ミラー本体２０４のみに角度が付いているため部位によっては視野性が悪く、さらにミラー本体２０４の角度が固定されているために、必要に応じて角度の変更を行うこともできないという問題があった。
【００１１】
また、上記従来の図７及び図８に示す医療用器具１０１、２０１のように、把持部１０２、２０２と機能部１０４、２０４とが一体に形成されている場合は、使用後はその都度洗浄、殺菌消毒して繰り返し使用するか、もしくは全体を使い捨てにするしかなかった。しかし、洗浄殺菌の上再使用する場合、使用後の細菌等が付着した機能部に触れて感染症に感染する可能性や、刃等で手指等を傷付けてしまう危険性がある。また、全体を使い捨てにする場合、洗浄等は不要だが、コストの関係から把持部１０２、２０２は、チタン合金やステンレス鋼等ではなく安価なプラスチック等の軽い素材から構成することになる。しかし、把持部１０２、２０２が軽いと、使用時に手元が安定せず、精密作業には使いにくいという難点があった。
【００１２】
そこで本発明は、上記状況に鑑みて、器具先端に設けられた機能部を着脱自在にして使い捨て可能にすると共に、その角度を自由に調節して良好な視野性を確保することができる医療用器具を提供することを目的とする。
【課題を解決するための手段】
【００１３】
本発明は、上記課題を解決するために、基端に棒状の把持部、先端に医療行為に用いられる機能部を備える医療用器具において、前記把持部と前記機能部の間に、棒状の形状記憶合金からなる形状記憶部を設け、前記把持部、機能部、及び形状記憶部を互いに着脱可能にすると共に、前記形状記憶部を直線状態で記憶処理し、必要に応じて前記形状記憶部を折曲させて使用し、使用後には前記形状記憶部を記憶回復温度まで加熱することで、前記形状記憶部を元の記憶処理した形状に戻すことを特徴とする医療用器具を提供する。
【００１４】
ここで、前記医療用器具は、前記把持部と前記形状記憶部の間、又は前記形状記憶部と前記機能部との間に、所定角度に折曲した接続部をさらに備えるようにしても良い。
【００１５】
前記形状記憶部は、ニッケル−チタン合金から構成するのが好ましい。また、前記医療用器具は、医療用ナイフ、医療用ミラー、医療用フックなどに用いられる。
【００１６】
ところで、前記機能部は、複数の形状タイプのものが個別の収納手段に封止されており、当該複数の形状タイプの任意の一つが選択されて前記形状記憶部の装着部に装着されて使用されるのである。また、前記収納手段内に封止されている前記機能部は、滅菌処理されて収納されている。
【発明の効果】
【００１７】
本発明の医療用器具によれば、形状記憶部を設けることによって機能部の角度を自由に調節可能にして、良好な視野性を確保することができる。また、各部を脱着自在にし機能部のみを使い捨てにして安全及び衛生面に配慮すると共にコストを抑えることができる。
【図面の簡単な説明】
【００１８】
【図１】本発明の第１の実施形態に係る医療用器具（医療用ナイフ）の概要を示す全体正面図である。
【図２】図１に示す医療用器具の形状記憶部を折曲させた状態を示す全体正面図である。
【図３】医療用ナイフの刃体の形状例を示す模式図である。
【図４】本発明の第１の実施形態に係る医療用器具（医療用ミラー）の概要を示す全体正面図である。
【図５】本発明の第１の実施形態に係る医療用器具（医療用フック）の概要を示す全体正面図である。
【図６】本発明の第２の実施形態に係る医療用器具（医療用ナイフ）の概要を示す全体正面図である。
【図７】従来の医療用ナイフの一例を示す模式図（その１）である。
【図８】従来の医療用ミラーの一例を示す模式図である。
【図９】従来の医療用ナイフの一例を示す模式図（その２）である。
【発明を実施するための形態】
【００１９】
以下、本発明の実施の形態について、図面を参照しながら詳細に説明する。
【００２０】
〔第１の実施形態〕
図１は、本発明の第１の実施形態に係る医療用器具の概要を示す全体正面図である。図１に示すように、本実施形態の医療用器具（ここでは医療用ナイフ）１０Ａは、棒状の把持部２０と、把持部２０の先端に接続される形状記憶部３０と、形状記憶部３０の先端に配置される機能部（ここではナイフ本体）４０Ａと、から構成される。
【００２１】
把持部２０は、使用者が使用の際に把持する部位であり、チタン合金やステンレス鋼等の金属からなる棒状の部材である。把持部２０の周囲には、使用者が把持して操作する際に指が滑りにくいよう、ローレット加工や梨地加工を施す。
【００２２】
形状記憶部３０は、把持部２０の先端に設けられる、ニチノール（ニッケル−チタン合金）等の形状記憶合金からなる棒状の部材である。形状記憶合金とは、熱処理によってある形状を記憶させると、これを変形しても一定の温度以上に加熱すれば変形前の形に戻るという特殊な合金である。この形状記憶部３０は、図１に示す通りまっすぐな直線状態で記憶処理してある。この形状記憶部３０は、大人が両手や器具（ペンチ等）を用いて加える程度の力で変形するが、外科手術等での使用中には変形しない程度の柔性／剛性を備えている。
【００２３】
機能部４０Ａは、ここではナイフ本体であり、形状記憶部３０の先端に配置される。ナイフ本体４０Ａは、先端に設けられる刃体４１Ａと、プラスチック等からなり刃体４１Ａを保持する刃体ホルダ４２Ａから構成される。
【００２４】
これら把持部２０、形状記憶部３０、機能部４０Ａは、それぞれ互いに着脱可能に接続されている。これらの接続方法は、嵌着式、ネジ式等、様々な方式を適用することができる。そして、把持部２０と形状記憶部３０は使用の都度洗浄殺菌することで再利用可能であり、機能部４０Ａのみ使い捨てにする。このように、機能部４０Ａは、複数の形状タイプのものが個別の収納手段（図示せず）に封止されており、当該複数の形状タイプの任意の一つが選択されて形状記憶部の先端に設けられた装着部に装着されて使用されるのである。また、収納手段内に封止されている前記機能部は、滅菌処理されて収納されている。
【００２５】
上記本実施形態の医療用ナイフ１０Ａを使用する際には、図２に示すように、施術者は、必要に応じて形状記憶部３０にペンチ或は専用の補助器具（図示せず）を用いて若しくは手動で力を加えて折曲させる。ここで専用の補助器具は、医療用ナイフ、医療用ミラー又は医療用フックの各々の形状に対応した形状記憶部３０を小さな力で簡単に折曲させるために、例えば梃子の原理を利用したものが好適である。さらに、この専用の補助具は、医療用器具１０Ａの形状記憶部３０を過熱するために加熱手段（電熱）を備えるようにしても良い。
【００２６】
これにより、把持部２０に対して機能部４０Ａに任意の角度を付けることが可能となる。なお、ここでは形状記憶部３０を刃体４１Ａの刃側に折曲させているが、用途や処置する部位に応じて自由な方向に折曲させることができる。
【００２７】
使用後は、機能部４０Ａを取り外して廃棄し、把持部２０と形状記憶部３０は洗浄殺菌する。その後、形状記憶部３０を記憶回復温度まで加熱すると、元の形状、即ち図１に示すようなまっすぐの形状に戻る。形状記憶部３０の記憶回復温度は、例えば摂氏１００度程度に設定するのが好適であり、その場合煮沸や殺菌用スチームに曝すことで簡単に形状を回復させることができる。
【００２８】
なお、上記では医療用ナイフ１０Ａの刃体４１Ａとして、略三角形状に突出した刃体を例に図示したが、このほか様々な形状の刃体を取り付けることが可能である。図３に様々な形状の刃体の例を示す。そして本発明の医療用器具１０は、このようなナイフ本体４０Ａを自由に着脱することができる。
【００２９】
また、上記では医療用器具として医療用ナイフ１０Ａについて説明したが、機能部にはこのほか様々なものを適用できる。図４に医療用ミラー１０Ｂを、図５に医療用フック１０Ｃを示す。なお、図１と同一の部分については、同一の符号を付して詳細な説明は省略する。
【００３０】
まず、図４に示すように、医療用ミラー１０Ｂは、棒状の把持部２０と、把持部２０の先端に接続される形状記憶部３０と、形状記憶部３０の先端に配置される機能部（ここではミラー本体）４０Ｂと、から構成される。
【００３１】
ミラー本体４０Ｂは、ミラー４１Ｂと、ミラー４１Ｂを保持するミラーホルダ４２Ｂから構成される。ミラー本体４０Ｂは、形状記憶部３０に対して着脱可能に接続され、使用後にはミラー本体４０Ｂのみ使い捨てることができる。
【００３２】
この医療用ミラー１０Ｂを使用する際には、図４（ｂ）に示すように、必要に応じて形状記憶部３０に力を加えて折曲させる。これにより、把持部２０に対して機能部４０Ｂに任意の角度を付けることが可能となる。
【００３３】
使用後は、機能部４０Ｂを取り外して廃棄し、把持部２０と形状記憶部３０は洗浄殺菌する。その後、形状記憶部３０を記憶回復温度まで加熱すると、元の形状、即ち図４（ａ）に示すようなまっすぐの形状に戻る。
【００３４】
また、図５に示すように、医療用フック１０Ｃは、棒状の把持部２０と、把持部２０の先端に接続される形状記憶部３０と、形状記憶部３０の先端に配置される機能部（ここではフック本体）４０Ｃと、から構成される。
【００３５】
フック本体４０Ｃは、フック４１Ｃと、フック４１Ｃを保持するフックホルダ４２Ｃから構成される。フック本体４０Ｃは、形状記憶部３０に対して着脱可能に接続され、使用後にはフック本体４０Ｃのみ使い捨てることができる。
【００３６】
この医療用フック１０Ｃを使用する際には、図５（ｂ）に示すように、必要に応じて形状記憶部３０に力を加えて折曲させる。これにより、把持部２０に対して機能部４０Ｃに任意の角度を付けることが可能となる。
【００３７】
使用後は、機能部４０Ｃを取り外して廃棄し、把持部２０と形状記憶部３０は洗浄殺菌する。その後、形状記憶部３０を記憶回復温度まで加熱すると、元の形状、即ち図５（ａ）に示すようなまっすぐの形状に戻る。
【００３８】
上記のように、本実施形態の医療用器具１０は、各部を脱着自在にし機能部４０のみを使い捨てにして安全及び衛生面に配慮すると共にコストを抑え、また、形状記憶部３０を設けることによって機能部４０の角度を自由に調節可能にして、良好な視野性を確保することができる。
【００３９】
〔第２の実施形態〕
ところで、本発明が形状記憶部に利用する形状記憶合金は、変形させても加熱することによって記憶処理した元の形状に戻る特殊な合金だが、限度を超えた大きな変形を加えれば、加熱しても元の形状に戻ることができなくなる。そのため、形状記憶部を一定範囲以上に変形させないよう考慮する必要がある。そこで、把持部に対して機能部の角度を大きく取りたい等、形状記憶部の変形限度を超えた角度に機能部を設定したい場合は、医療用器具を以下のように構成する。
【００４０】
図６は、本発明の第２の実施形態に係る医療用器具の概要を示す全体正面図である。なお、図１と同一の部分については、同一の符号を付して詳細な説明は省略する。
【００４１】
図６に示すように、本実施形態の医療用器具（ここでは例として、医療用ナイフ）１１は、棒状の把持部２０と、把持部２０の先端に接続される形状記憶部３０と、形状記憶部３０の先端に配置される折曲した接続部５０と、接続部５０の先端に配置される機能部（ここではナイフ本体）４０Ａと、から構成される。このように、把持部２０と機能部４０Ａの間に、一定の角度に折曲した接続部５０を配置することで、形状記憶部３０の変形限度を超えずに機能部４０Ａに大きな角度を付けることができる。
【００４２】
接続部５０は、ステンレス鋼等の素材からなり、予め任意の角度に折曲している。様々な角度に折曲した接続部５０を複数用意し、その場に応じて使い分けるのが好ましい。
【００４３】
また、把持部２０、形状記憶部３０、接続部５０、機能部４０Ａは、それぞれ互いに着脱可能に接続されている。これらの接続方法は、嵌着式、ネジ式等、様々な方式を適用することができる。そして、把持部２０と形状記憶部３０、及び接続部５０は使用の都度洗浄殺菌することで再利用可能であり、機能部４０Ａのみ使い捨てにする。
【００４４】
上記本実施形態の医療用ナイフ１１を使用する際には、図６（ｂ）に示すように、必要に応じて形状記憶部３０に力を加えて折曲させる。接続部５０が既に折曲している分、形状記憶部３０の変形限度を超えずに機能部４０Ａに大きな角度を付けることができる。
【００４５】
使用後は、機能部４０Ａを取り外して廃棄し、把持部２０と形状記憶部３０、及び接続部５０は洗浄殺菌する。その後、形状記憶部３０を記憶回復温度まで加熱すると、元の形状、即ち図６（ａ）に示すようなまっすぐの形状に戻る。形状記憶部３０の記憶回復温度は、例えば摂氏１００度程度に設定するのが好適であり、その場合煮沸や殺菌用スチームに曝すことで簡単に形状を回復させることができる。
【００４６】
なお、ここでは形状記憶部３０と機能部４０の間に接続部５０を配置した例を示したが、形状記憶部３０と接続部５０の位置は逆に置き換えても良い。
【００４７】
上記のように構成することで、本実施形態の医療用器具１１は、機能部４０のみを使い捨てにして安全及び衛生面に配慮すると共にコストを抑え、また、形状記憶部３０と共に折曲した接続部５０を設けることによって、形状記憶部３０の変形限度を超えずに形状記憶部３０の変形限度以上の角度に機能部４０Ａを自由に調節可能にして、良好な視野性を確保することができる。
【００４８】
以上、本発明の実施形態について説明したが、本発明は上記実施形態に限定されるものではなく、本発明の趣旨に基づき種々の変形が可能であり、これらを本発明の範囲から排除するものではない。
【産業上の利用可能性】
【００４９】
本発明は、ナイフ、ミラー、フック等、医療現場で用いられる医療用器具に係り、特に、器具先端に設けられた機能部を着脱可能にすると共にその機能部と把持部との角度を自由に変えることが可能な医療用器具に関するものであり、産業上の利用可能性を有する。
【符号の説明】
【００５０】
１０Ａ  医療用器具（医療用ナイフ）
１０Ｂ  医療用器具（医療用ミラー）
１０Ｃ  医療用器具（医療用フック）
１１    医療用器具（医療用ナイフ）
２０    把持部
３０    形状記憶部
４０Ａ  機能部（ナイフ本体）
４０Ｂ  機能部（ミラー本体）
４０Ｃ  機能部（フック本体）
４１Ａ  刃体
４１Ｂ  ミラー
４１Ｃ  フック
４２Ａ  刃体ホルダ
４２Ｂ  ミラーホルダ
４２Ｃ  フックホルダ
５０    接続部
【図１】
2012115605.tif 000003
【図２】
2012115605.tif 000004
【図３】
2012115605.tif 000005
【図４】
2012115605.tif 000006
【図５】
2012115605.tif 000007
【図６】
2012115605.tif 000008
【図７】
2012115605.tif 000009
【図８】
2012115605.tif 000010
【図９】
2012115605.tif 000011
【手続補正書】
【提出日】平成23年12月1日(2011.12.1)
【手続補正１】
【補正対象書類名】特許請求の範囲
【補正対象項目名】全文
【補正方法】変更
【補正の内容】
【特許請求の範囲】
【請求項１】
基端に棒状の把持部、先端に医療行為に用いられる機能部を備える医療用器具において、
前記把持部と前記機能部の間に、棒状の形状記憶合金からなる形状記憶部を設け、
前記把持部、機能部、及び形状記憶部が互いに着脱可能であり、
前記形状記憶部を直線状態で記憶処理し、必要に応じて前記形状記憶部を折曲させて使用し、使用後には前記形状記憶部を記憶回復温度まで加熱することで、前記形状記憶部を元の記憶処理した形状に戻すと共に、
前記機能部は、複数の形状タイプのものが個別に収納手段に封止されており、当該複数の形状タイプの任意の一つが選択されて前記形状記憶部の装着部に装着され使用されることを特徴とする医療用器具。
【請求項２】
前記把持部と前記形状記憶部の間、又は前記形状記憶部と前記機能部との間に、所定角度に折曲した接続部をさらに備えることを特徴とする請求項１に記載の医療用器具。
【請求項３】
前記形状記憶部が、ニッケル−チタン合金からなることを特徴とする請求項１に記載の医療用器具。
【請求項４】
前記医療用器具が、医療用ナイフ、医療用ミラー、医療用フックの何れかであることを特徴とする請求項１又は２に記載の医療用器具。
【請求項５】
前記機能部は滅菌処理されて前記収納手段に収納されていることを特徴とする請求項１乃至４の何れか一項に記載の医療用器具。
【手続補正２】
【補正対象書類名】明細書
【補正対象項目名】００１３
【補正方法】変更
【補正の内容】
【００１３】
本発明は、上記課題を解決するために、基端に棒状の把持部、先端に医療行為に用いられる機能部を備える医療用器具において、前記把持部と前記機能部の間に、棒状の形状記憶合金からなる形状記憶部を設け、前記把持部、機能部、及び形状記憶部が互いに着脱可能であり、前記形状記憶部を直線状態で記憶処理し、必要に応じて前記形状記憶部を折曲させて使用し、使用後には前記形状記憶部を記憶回復温度まで加熱することで、前記形状記憶部を元の記憶処理した形状に戻すと共に、前記機能部は、複数の形状タイプのものが個別に収納手段に封止されており、この複数の形状タイプの任意の一つが選択されて前記形状記憶部の装着部に装着され使用されることを特徴とする医療用器具を提供する。
【手続補正３】
【補正対象書類名】明細書
【補正対象項目名】００１６
【補正方法】変更
【補正の内容】
【００１６】
また、前記収納手段内に封止されている前記機能部は、滅菌処理されて収納されている。
【手続補正書】
【提出日】平成24年2月20日(2012.2.20)
【手続補正１】
【補正対象書類名】特許請求の範囲
【補正対象項目名】全文
【補正方法】変更
【補正の内容】
【特許請求の範囲】
【請求項１】
基端に棒状の把持部、先端に医療行為に用いられる機能部を備える医療用器具において、
前記把持部と前記機能部の間に、棒状の形状記憶合金からなる形状記憶部を設け、
前記把持部、機能部、及び形状記憶部が互いに着脱可能であり、
前記形状記憶部を直線状態で記憶処理し、必要に応じて前記形状記憶部を折曲させて使用し、使用後には前記形状記憶部を記憶回復温度まで加熱することで、前記形状記憶部を元の記憶処理した形状に戻すと共に、
前記機能部は、予め用意された複数の形状タイプの任意の一つが選択されて前記形状記憶部の装着部に装着され、
前記選択された機能部を前記把持部に対して一定以上の角度を有して装着させるときは、折曲した接続部が前記把持部と前記形状記憶部の間又は前記形状記憶部と前記機能部との間に装着され使用されることを特徴とする医療用器具。
【請求項２】
前記接続部は、ステンレス鋼の素材により形成され、予め用意された異なる角度に折曲した複数の中から選択されて用いられることを特徴とする請求項１に記載の医療用器具。
【請求項３】
前記形状記憶部が、ニッケル−チタン合金からなることを特徴とする請求項１に記載の医療用器具。
【請求項４】
前記医療用器具が、医療用ナイフ、医療用ミラー、医療用フックの何れかであることを特徴とする請求項１又は２に記載の医療用器具。
【請求項５】
前記機能部は滅菌処理されて前記収納手段に収納されていることを特徴とする請求項１乃至４の何れか一項に記載の医療用器具。
【手続補正２】
【補正対象書類名】明細書
【補正対象項目名】００１３
【補正方法】変更
【補正の内容】
【００１３】
本発明は、上記課題を解決するために、基端に棒状の把持部、先端に医療行為に用いられる機能部を備える医療用器具において、前記把持部と前記機能部の間に、棒状の形状記憶合金からなる形状記憶部を設け、前記把持部、機能部、及び形状記憶部が互いに着脱可能であり、前記形状記憶部を直線状態で記憶処理し、必要に応じて前記形状記憶部を折曲させて使用し、使用後には前記形状記憶部を記憶回復温度まで加熱することで、前記形状記憶部を元の記憶処理した形状に戻すと共に、前記機能部は、予め用意された複数の形状タイプの任意の一つが選択されて前記形状記憶部の装着部に装着され、前記選択された機能部を前記把持部に対して一定以上の角度を有して装着させるときは、折曲した接続部が前記把持部と前記形状記憶部の間又は前記形状記憶部と前記機能部との間に装着され使用されることを特徴とする医療用器具を提供する。
【手続補正３】
【補正対象書類名】明細書
【補正対象項目名】００１４
【補正方法】変更
【補正の内容】
【００１４】
ここで、前記接続部は、ステンレス鋼の素材により形成され、予め用意された異なる角度に折曲した複数の中から選択されて用いられる。